(57)【要約】【課題】二輪フロントフォークサスペンション関係に用いられ走行時における使用条件が厳しく泥水やダスト等の異物浸入に対する防止を特に施す必要がある場合であっても、狭いスペースに組付けすることができ、しかも組付け作業を簡易に行なうことができるオイルシールを提供する。【解決手段】一の部材２の内周面３ａに設けられた組付け部と係合する固定機構を設けた芯金１０と、芯金１０に加硫接着し他の部材に摺動自在に密接し主に密封対象側Ａのオイルをシールする第一シール部２０と、第一シール部２０より大気側Ｂに位置し先端部を大気側Ｂに向けた複数のシールリップ（３１，３２）を有し他の部材に摺動自在に密接し主に大気側Ｂのダストをシールする第一シール部２０と一体成形された第二シール部３０とで構成することにした。【選択図】図１
2007132390.tif 000002
【特許請求の範囲】
【請求項１】
互いに相対可動自在に組付けられた２部材間の環状空間に組付け密封対象側のオイルと大気側のダストとをシールするオイルシールであって、
一の部材の内周面に設けられた組付け部と係合する固定機構を設けた芯金と、該芯金に加硫接着し他の部材に摺動自在に密接し主に密封対象側のオイルをシールする第一シール部と、該第一シール部より大気側に位置し先端部を大気側に向けた複数のシールリップを有し前記他の部材に摺動自在に密接し主に大気側のダストをシールする前記第一シール部と一体成形された第二シール部と、を備えていることを特徴とするオイルシール。
【請求項２】
前記一の部材の組付け部に形成されている螺子部と、前記芯金の固定機構に形成されている螺子部とが螺合結合することを特徴とする請求項1に記載のオイルシール。
【発明の詳細な説明】
【技術分野】
【０００１】
本発明は、二輪フロントフォークサスペンション関係に用いられ、他の一般産業分野にも用いられるオイルシールに関する。
【背景技術】
【０００２】
二輪フロントフォークサスペンション関係に用いられるオイルシールは、密封対象であるオイルが外部に流出するのをシールする機能の他に、走行時における大気側からの異物浸入をシールする機能が要求される。しかし、従来のオイルシールは、大気側から泥水やダスト等の異物が浸入してくる使用条件の厳しい場所で使用されると異物を完全にシールすることが出来ず、そのためオイルシールの大気側にダストシールを並設して大気側からの異物をシールしていた。
【０００３】
図３に、オイルシール１０１とその大気側Ｂにダストシール１０２とが並設されている状態を示す。オイルシール１０１は、ハウジング１０３の内周に第一固定密封部１２１を介して嵌合している第一円筒部１１１と第一円筒部１１１の大気側Ｂ端末からＵターンしている第二円筒部１１２と第二円筒部１１２の密封対象側Ａ端末より内周方向に向かって延びるフランジ部１１３とから構成される第一芯金１１０と、第一固定密封部１２１とそれと一体に成形され第一芯金１１０のフランジ部１１３の内周方向端末に加硫接着し密封対象側Ａに延びるオイルシールリップ１２２と大気側Ｂに延びるダストシールリップ１２３とから構成される第一シール部１２０と、を備えている。ダストシール１０２は、ハウジング１０３の内周に第二固定密封部１４１を介して嵌合している円筒部１３１と円筒部１３１の大気側Ｂ端末より外周に向かって延びるフランジ部１３２とから構成される第二芯金１３０と、第二固定密封部１４１とそれと一体成形され第二芯金１３０に加硫密着し先端部が大気側Ｂに延びている第一ダストシールリップ１４２と、同じく先端部が大気側Ｂに延び第一ダストシールリップ１４２より密封対象側Ａに位置する第二ダストシールリップ１４３とから構成される第二シール部１４０と、を備えている。
【０００４】
そして、このオイルシール１０１とダストシール１０２とを組付けするには、初めにオイルシール１０１の第一芯金１１０とその外周側に加硫接着している第一固定密封部１２１を圧入して嵌合固定し、次いでオイルシール１０１を押さえ込むためのスナップリング１４０を嵌め込み、更にダストシール１０２の第二芯金１３０とその外周側に加硫接着している第二固定密封部１４１を圧入して嵌合固定する方法にて行っていた。
【０００５】
したがって、この方法においては、２部材間の環状空間にオイルシール１０１とダストシール１０２を別々に組付けしているので、２個のシール１０１，１０２を組付けするための広いスペースの確保が必要になるとともに、各々のシールを組付けする作業が必要となるので作業が煩雑になるとの欠点を有していた。
【０００６】
また、下記特許文献１では、ダストシールの第二芯金に設けた掛合部をハウジングに設けた凹溝部に係合させオイルシールを固定すると共にスナップリングを削除することが開示されている。また、下記特許文献２では、オイルシールの第一芯金とハウジングの内周面とを密着させることが開示されている。しかし、いずれにおいても、オイルシールとダストシールが別個に形成され、それら２個のシールを各々組付けするときの作業を簡易にする発明について開示されているだけであって、シールを組み付するスペースを縮小すること及び２個のシールを一体とし組付け作業を簡易化することについては何ら開示されていなかった。
【０００７】
【特許文献１】特開平０９−２８７６６５号公報
【特許文献２】特開平０８−２００４２５号公報
【発明の開示】
【発明が解決しようとする課題】
【０００８】
本発明は以上の点に鑑みて、二輪フロントフォークサスペンション関係に用いられ走行時における使用条件が厳しく泥水やダスト等の異物浸入に対する防止を特に施す必要がある場合であっても、狭いスペースに組付けすることができ、しかも組付け作業を簡易に行なうことができるオイルシールを提供することを目的とする。
【課題を解決するための手段】
【０００９】
上記目的を達成するため、本発明の請求項１にかかるオイルシールは、互いに相対可動自在に組付けられた２部材間の環状空間に組付け密封対象側のオイルと大気側のダストとをシールするオイルシールであって、一の部材の内周面に設けられた組付け部と係合する固定機構を設けた芯金と、該芯金に加硫接着し他の部材に摺動自在に密接し主に密封対象側のオイルをシールする第一シール部と、該第一シール部より大気側に位置し先端部を大気側に向けた複数のシールリップを有し前記他の部材に摺動自在に密接し主に大気側のダストをシールする前記第一シール部と一体成形された第二シール部と、を備えていることを特徴とするものである。
【００１０】
また、本発明の請求項２にかかるオイルシールは、請求項1に記載のオイルシールであって、前記一の部材の組付け部に形成されている螺子部と、前記芯金の固定機構に形成されている螺子部とが螺合結合することを特徴とするものである。
【発明の効果】
【００１１】
本発明は、以下の効果を奏する。
【００１２】
すなわち、上記構成を備えた本発明のオイルシールにおいては、主にオイルをシールする第一シール部と、主にダストをシールする複数のシールリップを有する第二シール部とが一体となった構成であるので、１個のオイルシールを組付けするだけで密封対象側のオイルをシールする機能と走行時の大気側からの泥水や異物等のダストをシールする機能の両方を確保することができる。したがって、オイルシールを１個組付けするだけなので、狭いスペースで組付けができると共に、組付け作業を簡易に行なうことができる。
【００１３】
また、オイルシールの芯金にシールを固定するための固定機構が形成されているので、シール押え部品が不要になりこれによっても組付け作業を簡易に行なうことができる。
【００１４】
更に、請求項２に係るオイルシールは、一の部材の組付け部に形成された螺子部に芯金の固定機構に形成された螺子部を螺合させることで、オイルシールを一の部材の内周に組付けすることができるので、組付け作業をより一層簡易に行なうことができる。
【発明を実施するための最良の形態】
【００１５】
以下に図面を参照して、この発明の好適な実施形態を例示して説明する。ただし、この発明の範囲は、特に限定的記載がない限りは、この実施形態に記載されている内容に限定する趣旨のものではない。
【００１６】
図１は、本発明を適用したオイルシールの実施形態としての要部断面図であり、このオイルシール１は、芯金１０と、第一シール部２０と、第二シール部３０と、を備えている。
【００１７】
芯金１０は、後述するハウジング２から大気側Ｂに突出した第一円筒部１１と、第一円筒部１１の密封対象側Ａ端部から内周方向に延びる第一径方向部１２と、第一径方向部１２の内周端部から密封対象側Ａに延びる第二円筒部１３と、第二円筒部１３の密封対象側Ａ端部から内周方向に傾斜する傾斜部１４と、傾斜部１４の密封対象側Ａ端部から密封対象側Ａに延びる第三円筒部１５と、第三円筒部１５の密封対象側Ａ端部ら折り返して大気側Ｂに延びる第四円筒部１６と、第四円筒部１６の大気側Ｂ端部から折り返して密封対象側Ａに延びる第五円筒部１７と、第五円筒部１７の密封対象側Ａ端部から内周方向に延びる第二径方向部１８とを備えている。図２に示す通り、第二円筒部１３の外周側１３ａには、ハウジング２と係合する固定機構４０が設けられていて、その固定機構４０には雄螺子４１が形成されている。
【００１８】
第一シール部２０はゴム状弾性体で成形されていて、芯金１０に加硫接着しているシール本体部２１と、シール本体部２１と一体で成形されていて芯金１０の第二径方向部１８の内周側端部から密封対象側Ａに延び図示しない軸と摺動自在に密接する第一オイルシールリップ２２と、第一オイルシールリップ２２より大気側Ｂに位置し軸と摺動自在に密接する第二オイルシールリップ２３と、第一オイルシールリップ２２のエッジ部の外周側にガータスプリング２４を装着するための凹部２６とを備えている。また、シール本体部２１には、芯金１０の第三円筒部１５の外周側に接着し、ハウジング２とオイルシール１との間を密封する固定密封部２５が一体で成形されている。
【００１９】
第二シール部３０は、第一シール部２０のシール本体部２１と一体で成形され大気側Ｂに向かって延び軸と摺動自在に密接する第一ダストシールリップ３１と、同じく大気側Ｂに向かって延び第一ダストシールリップ３１より密封対象側Ａに位置し軸と摺動自在に密接する第二ダストシールリップ３２とを備えている。
【００２０】
図１に示す通り、上記構成のオイルシール１が取付けられるハウジング２の内周面３には段差４が設けられていて、開口部のある大気側Ｂが大径内周面３ａになっている。これはオイルシール１を大気側Ｂから挿入して組付けるときに固定密封部２５が傷付くのを防止するためである。また、図２に示す通り、大径内周面３ａには取付け部４２が設けられていて、取付け部４２には雌螺子４３が形成されている。
【００２１】
したがって、オイルシール１の芯金１０の固定機構４０に形成されている雄螺子４１をハウジング２の取付け部４２に形成されている雌螺子４３に螺合結合させることで、オイルシール１をハウジング２から抜けないように組付けることが可能となる。
【００２２】
また、この組付けするときに、ハウジング２の小径内周面３ｂにオイルシール１の芯金１０の第三円筒部１５とその外周面１５ａに接着している固定密封部２５が圧入嵌合されるので、ハウジング２とオイルシール１との密封性を確保することが可能となる。
【００２３】
なお、ハウジング２の開口端面２ａと接している芯金１０の第一径方向部１２の密封対象側側面１２ａに凹凸を形成する等の粗し加工を施し、摩擦力で螺合結合の緩み止めを図っても良い。この粗し加工は緩み止めを目的とするのであるから、その目的の範囲内であれば、施す面はハウジング２の開口端面２ａであってもよく、また両面（１２ａ，２ａ）であってもよい。
【００２４】
更に、芯金１０の第一円筒部１１の外周面１１ａに切り込み等を形成して、ねじ込み冶具としてもよい。
【００２５】
上記の通り、オイルをシールする機能と外部のダストをシールする機能との両方の機能を有する一つのオイルシール１をねじ込みことによってハウジング２に組付けることが可能となり、またオイルシール１に固定機構４０が設けられているのでシール押え部品を不要とすることが可能となる。
【図面の簡単な説明】
【００２６】
【図１】本発明に係るオイルシールの要部断面図
【図２】図１のＸ部の要部拡大断面図
【図３】従来例に係るオイルシールとダストシールの断面図
【符号の説明】
【００２７】
１  オイルシール
２  ハウジング（一の部材）
３，３ａ，３ｂ  内周面
４  段差
１０  芯金
１１，１３，１５，１６，１７  円筒部
１２，１８  径方向部
１４  斜行部
２０，３０  シール部
２１  シール本体部
２２，２３，３１，３２  シールリップ
２４  ガータスプリング
２５  固定密封部
２６  凹部
４０  固定機構
４２  取付け部
４１，４３  螺子部
Ａ  密封対象側
Ｂ  大気側
【図１】
2007132390.tif 000003
【図２】
2007132390.tif 000004
【図３】
2007132390.tif 000005